(57)【要約】      （修正有）【課題】ネジを使用することなく、導引軌道をCD/DVDドライブ上に固定することができるCD/DVDドライブの導引軌道を提供する。【解決手段】CD/DVDドライブ２両側の導引軌道３上に方向の異なる２組の双L形みぞ３１．３２が設けられ、２組の彎曲形状の嵌合フック３３．３４のそれぞれの一端が１つのL形みぞ３１或いは３２内に設置され、もう一端のフック３３１．３４１がL形みぞ３１の貫通孔３１１或いはL形みぞ３２の貫通孔３２１を貫通し、且つ、CD/DVDドライブ２のフック孔２１或いは２２に嵌入する。【選択図】図７
0003120460.tif 000002
【実用新案登録請求の範囲】
【請求項１】
CD/DVDドライブ(2)両側の導引軌道(3)上に方向の異なる２組の双L形みぞ(31)(32)が設けられ、
２組の彎曲形状の嵌合フック(33)(34)のそれぞれの一端が１つのL形みぞ（(31)或いは(32)）内に設置され、もう一端のフック(331)(341)がL形みぞ(31)の貫通孔(311)或いはL形みぞ(32)の貫通孔(321)を貫通し、
且つ、CD/DVDドライブ(2)のフック孔（(21)或いは(22)）に嵌入することにより、ネジを使用することなく、導引軌道(3)をCD/DVDドライブ(2)上に固定することができることを特徴とするCD/DVDドライブの導引軌道。
【請求項２】
上記構造中、導引軌道(3)上に方向の異なる２組の双みぞ(31)(32)はL形交差形状をなすことを特徴とする請求項１記載のCD/DVDドライブの導引軌道。
【考案の詳細な説明】
【技術分野】
【０００１】
本考案はCD/DVDドライブの導引軌道の構造の改良で、ネジを使用することなく、導引軌道(3)をCD/DVDドライブ(2)上に固定することができるCD/DVDドライブの導引軌道に関するものである。
【背景技術】
【０００２】
従来のCD/DVDドライブ(100)は導引軌道(200)によりコンピューター本体のCD/DVDドライブ嵌入槽内に挿入されるが、図１が示す如く、ネジ(300)を導引軌道(200)の貫通孔(201)に貫通させ、更に、CD/DVDドライブ(100)のネジ孔(101)にネジ固定することにより、２つの導引軌道(200)をCD/DVDドライブ(100)の両側に設置することができ、この種の導引軌道(200)の固定方式は工具を使用し、ネジを固定するものであり、時間及び労力の浪費であり、
又、従来の導引軌道(200)は金属材質であり、コストがかかるという欠点があり、最近ではプラスチック製の導引軌道(200)も開発されてきているが、プラスチック製導引軌道(200)はCD/DVDドライブの電磁波(EMI)を放出することができないという欠点がある。
【考案の開示】
【考案が解決しようとする課題】
【０００３】
本考案は、上記従来の欠点を解決することを課題とする。
【課題を解決するための手段】
【０００４】
本考案の主な目的は、CD/DVDドライブ(2)両側にプラスチック製の導引軌道(3)上に方向の異なる２組の双L形みぞ(31)(32)が設けられ、
単一のL形みぞ（(31)或いは(32)）にはそれぞれ貫通孔（(311)或いは(321)）が設けられ、
２つの彎曲形状の金属製嵌合フック(33)(34)のそれぞれの一端が１つのL形みぞ(31)内に設置され、縦方向のもう一端のフック(331)(341)がL形みぞ(31)の貫通孔(311)を貫通し、
更に、CD/DVDドライブ(2)のフック孔(21)に嵌入することにより、導引軌道(3)をCD/DVDドライブ(2)上に固定することができ、
プラスチック製の導引軌道(3)はコストを抑えることができ、
又、金属製の嵌合フック(33)(34)によりCD/DVDドライブ(2)とコンピューター本体(1)とを導通させることにより、CD/DVDドライブ(2)の電磁波(EMI)を放出することができる。
【０００５】
本考案のもう１つの目的は、導引軌道(3)上の２つの嵌合フック(33)(34)は同じ形状であり、生産時、１つの鋳型を作るだけでよく、コストを抑えることができ、
上記構造において、CD/DVDドライブ(2)のフック孔(21)に嵌入することにより、導引軌道(3)をCD/DVDドライブ(2)上に固定することができ、
又、導引軌道(3)をCD/DVDドライブ(2)のもう１つのフック孔(22)上に固定する時は、２組の嵌合フック(33)(34)をもう１つのL形みぞ(32)内に設置し、嵌合フック(33)(34)のフック(331)(341)をもう１つの貫通孔(321)に貫通することにより、CD/DVDドライブ(2)のフック孔(22)内に固定することにより、導引軌道(3)をCD/DVDドライブ(2)の両側に位置をずらして固定することもできる。
【考案の効果】
【０００６】
１．プラスチック製の導引軌道(3)はコストを抑えることができ、
又、金属製の嵌合フック(33)(34)によりCD/DVDドライブ(2)とコンピューター本体(1)とを導通させることにより、CD/DVDドライブ(2)の電磁波(EMI)を放出することができる。
２．導引軌道(3)上の２つの嵌合フック(33)(34)は同じ形状であり、
生産時、１つの鋳型を作るだけでよく、コストを抑えることができる。
【考案を実施するための最良の形態】
【０００７】
本考案の構造の特徴及びその効果を以下に実施例とそれに合わせた図式及び詳細な説明を列挙し、本考案の長所を詳述する。
【０００８】
図２に示す如く、コンピューター本体(1)はCD/DVDドライブ嵌入槽(11)を有し、該CD/DVDドライブ嵌入槽(11)はCD/DVDドライブ(2)を装着でき、CD/DVDドライブ嵌入槽(11)両側のフレーム体(12)上に軌道(13)を有する。
【０００９】
図３に示す如く、CD/DVDドライブ(2)両側に導引軌道(3)が設置され、CD/DVDドライブ嵌入槽(11)両側の軌道(13)に導引軌道(3)を挿入することにより、CD/DVDドライブ(2)をコンピューター本体(1)内に設置することができ、その主な特徴は、
図４〜７が示す如く、プラスチック製の導引軌道(3)上に方向の異なる２組の双L形みぞ(31)(32)が設けられ、
単一のL形みぞ（(31)或いは(32)）にはそれぞれ貫通孔（(311)或いは(321)）が設けられ、
２つの彎曲形状の金属製嵌合フック(33)(34)のそれぞれの一端が１つのL形みぞ(31)内に設置され、縦方向のもう一端のフック(331)(341)がL形みぞ(31)の貫通孔(311)を貫通し、
更に、CD/DVDドライブ(2)のフック孔(21)に嵌入することにより、導引軌道(3)をCD/DVDドライブ(2)上に固定することができ、
又、導引軌道(3)をCD/DVDドライブ(2)のもう１つのフック孔(22)上に固定する時は、２組の嵌合フック(33)(34)をもう１つのL形みぞ(32)内に設置し、嵌合フック(33)(34)のフック(331)(341)をもう１つの貫通孔(321)に貫通することにより、CD/DVDドライブ(2)のフック孔(22)内に固定することにより、導引軌道(3)をCD/DVDドライブ(2)の両側に位置をずらして固定することもできる。
【図面の簡単な説明】
【００１０】
【図１】従来の構造図である。
【図２】一般のコンピューター本体の外観図である。
【図３】本考案のコンピューター本体(1)の外観図である。
【図４】本考案のCD/DVDドライブ(2)の外観図である。
【図５】本考案のCD/DVDドライブ(2)の俯瞰図である。
【図６】本考案の導引軌道(3)の外観図である。
【図７】本考案の導引軌道(3)の使用状態参考図である。
【符号の説明】
【００１１】
従来の符号の説明：
100       CD/DVDドライブ
101       ネジ孔
200       導引軌道
201       貫通孔
300       ネジ
本考案の符号の説明：
1         コンピューター本体
11        CD/DVDドライブ嵌入槽
12        フレーム体
13        軌道
2         CD/DVDドライブ
21        フック孔
22        フック孔
3         導引軌道
31,32     L形みぞ
311       貫通孔
321       貫通孔
33,34     嵌合フック
331,341    フック
【図１】
0003120460.tif 000003
【図２】
0003120460.tif 000004
【図３】
0003120460.tif 000005
【図４】
0003120460.tif 000006
【図５】
0003120460.tif 000007
【図６】
0003120460.tif 000008
【図７】
0003120460.tif 000009